(57)【要約】【課題】発光ダイオードなどの指向性の高い光を発光する半導体発光素子を用いても、簡単な構造で広い範囲を照明できる棚構造の照明装置を提供する。【解決手段】照明装置は、棚板のフロント側の端部の下面に取り付け可能なフレーム本体１１と、このフレーム本体内に取り付けられ、発光素子列１３を有する基板１２と、この発光素子列からの光を反射するための反射部材（配向部材）１４と、前記フレーム本体１１に装着され、発光素子列１３をカバーし、透光部を有するカバー部材１５とを備えている。前記発光素子列１３からの光は、反射部材（配向部材）１４により少なくとも透光部に向けられる。そのため、広い範囲を照明でき、商品価値を高める。【選択図】図２
2010251294.tif 000002
【特許請求の範囲】
【請求項１】
発光素子列を備え、棚板の下面又は下部に取り付け可能な棚構造の照明装置であって、棚板の下面又は下部に取り付け可能なフレームと、このフレーム内に装着可能な発光素子列と、前記フレームの前方域、上方域及び下方域のうち少なくとも１つの領域に形成された透光部とを備えており、前記発光素子列からの発光で前記透光部を照明可能である棚構造の照明装置。
【請求項２】
フレームが、棚板の下面又は下部に取り付け可能なフレーム本体と、このフレーム本体の前方域、上方域及び下方域のうち少なくとも１つの領域をカバー可能なカバー部材とを備えており、前記フレーム本体及び／又はカバー部材に発光素子列が装着可能である請求項１記載の棚構造の照明装置。
【請求項３】
棚板の下面又は下部に取り付け可能であるとともに発光素子列が取り付け可能なフレーム本体と、このフレーム本体のうち前記発光素子列の少なくとも下方域に形成された透光部と、前記フレーム本体に装着して前記発光素子列をカバー可能なカバー部材とを備えた棚構造の照明装置であって、前記発光素子列からの発光で前記透光部を照明可能である請求項１又は２記載の棚構造の照明装置。
【請求項４】
発光素子列からの光を少なくとも透光部に向けるための配向部材を備えている請求項１〜３のいずれかに記載の棚構造の照明装置。
【請求項５】
棚板の下面又は下部に取り付け可能なフレーム本体と、このフレーム本体に形成され、かつ発光素子列が取り付け可能な取付部位と、前記フレーム本体に装着して前記発光素子列をカバー可能であり、かつ前記発光素子列の少なくとも下方域及び前方域に透光部が形成されたカバー部材とを備えた棚構造の照明装置であって、前記発光素子列からの光を少なくとも下方向及び前方方向に向けるための配向部材を備えている請求項１〜４のいずれかに記載の棚構造の照明装置。
【請求項６】
配向部材が、（Ａ）発光素子列が取り付け可能であり、かつ棚板の前方方向にいくにつれて傾斜した傾斜プレート、及び／又は（Ｂ）発光素子列からの光を少なくとも透光部に向けて反射させるための反射部材で構成されている請求項１〜５のいずれかに記載の棚構造の照明装置。
【請求項７】
配向部材が、発光素子列よりも棚板の奥部に、上方向にいくにつれて棚板の奥部方向に傾斜して配設された反射部材で構成されている請求項５又は６記載の棚構造の照明装置。
【請求項８】
発光素子列がフレームの前部に装着され、配向部材としての反射部材がフレームの奥部に配設されている請求項１〜７のいずれかに記載の棚構造の照明装置。
【請求項９】
配向部材が平面状又は凸面状の反射部材で構成されている請求項４〜８のいずれかに記載の棚構造の照明装置。
【請求項１０】
配向部材が、表面に凹凸部を有する反射部材で構成されている請求項４〜９のいずれかに記載の棚構造の照明装置。
【請求項１１】
発光素子列が、基板に列状に装着された複数の発光ダイオードを備えている請求項１〜１０のいずれかに記載の棚構造の照明装置。
【請求項１２】
棚板のフロント側の端部の下面又は下部に取り付け可能なフレーム本体を備えており、このフレーム本体が、複数の発光素子が列状に装着された基板を取り付けるための取付部位と、この取付部位よりも奥部に形成され、かつ反射部材が装着可能な装着部位とを備えており、前記フレーム本体に対してカバー部材が装着可能である請求項１〜１１のいずれかに記載の棚構造の照明装置。
【請求項１３】
発光素子列が棚板の前方の斜め下部領域乃至下方の領域に向いており、反射部材が上方向にいくにつれて棚板の奥部方向に傾斜し、発光素子列からの光を少なくとも少なくとも前方乃至斜め上方の領域に反射可能である請求項１〜１２のいずれかに記載の棚構造の照明装置。
【請求項１４】
フレームが、棚板のフロント側の端部の下面又は下部に取り付け可能なフレーム本体と、このフレーム本体の前方域、上方域及び下方域の領域をカバー可能なカバー部材とを備えており、このカバー部材が、フレーム本体の前方域、上方域及び下方域に透光部を備えているとともに、前記カバー部材の前部に発光素子列が装着され、カバー部材の奥部に、前記カバー部材の前部に向けて表面が膨出して湾曲した凸面状の反射部材が配設されている請求項１〜１３のいずれかに記載の棚構造の照明装置。
【請求項１５】
複数の棚板が多段に配置された棚構造であって、請求項１〜１４のいずれかに記載の照明装置を備えている棚構造。
【発明の詳細な説明】
【技術分野】
【０００１】
本発明は、ショーケース、陳列棚などの棚構造（又は陳列棚構造）の照明装置（又は照明構造）に関する。
【背景技術】
【０００２】
商品の陳列棚などの棚板を照明するため、通常、棚板の長手方向に沿って蛍光灯が配置されている。例えば、特開２００６−３４６２３８号公報（特許文献１）には、商品陳列棚の棚板前部に照明灯（蛍光灯）を取り付け、この棚板前部に、棚板前部及び照明灯の前部を囲繞する断面コ字状の透光性照明カバーを取り付けた照明装置が開示され、棚板の前端よりも照明カバーの前端部を突出させることにより、棚板の前方、上方及び下方に照明できることも記載されている。しかし、このような照明装置では照明灯の下の棚板に配置された商品は照明できるものの、消費電力の大きな蛍光灯を用いる必要がある。また、蛍光灯の安定器も収納する必要があるとともに、カバー内での配線も必要となり、構造が複雑化するとともにコンパクトな装置にすることが困難である。
【０００３】
特開２００３−２７５０８０号公報（特許文献２）には、商品陳列棚の棚板の前部の下面に照明灯を取り付け、照明灯の直上部分の棚板にスリットを設け、このスリットに、前記照明灯から上方に照射された光を棚板上の後方に偏光させる偏光手段（横長のプリズム）を上方より嵌合させた棚板照明装置が開示されている。しかし、この装置でも消費電力の大きな蛍光灯を用いる必要があるだけでなく、横長のプリズムを配置する必要があり、構造が複雑化する。
【０００４】
光源として発光ダイオード（ＬＥＤ）を用いることも知られている。特開２００３−２８１９０８号公報（特許文献３）には、ＬＥＤと、このＬＥＤの光放出側に設置され、前記ＬＥＤの光を集束して放射する第１レンズと、この第１レンズの光放射側に設置され、前記第１レンズを介して放射された光を略平行光に集束して放射する第２レンズとを備える照明装置が開示されている。この照明装置では、点灯に伴う発熱量が少ない小型のＬＥＤを光源として採用することにより、長時間の照明が可能で、コンパクトに構成され、かつ平行光を照射することができ、車両室内における読書灯などとして好適に利用できる。しかし、この装置では、ＬＥＤの照射角度が小さいため、スポット的に照明するのに適しているものの、広範な領域を照明するのが困難である。そのため、この照明装置を用いて棚下を照明すると、商品が陳列された棚上面全域を照明するには適していない。
【０００５】
特開２００７−２８７６８６号公報（特許文献４）には、上側の棚板の前縁部下面に取付けられ、下側の棚板を照明する棚下灯であって、基板上に複数の半導体発光素子が一列に並設された光源と；前記半導体発光素子の並び方向に延びて形成され、光出射面、この光出射面の裏側に位置する光入射面、第１の反射面、及び第２の反射面を有し、前記光入射面が、第１の入射面と、第２の入射面で形成されている透光性材料の配光制御部材と；を具備し、前記下側の棚板及びこの棚板の後側に連なった奥壁面の下部を照射する光と、前記光出射面から略真下方向に出射し、前記下側の棚板の上面を照射する光と、前記光出射面から斜め下後方向に出射する光とにより、棚の下側の棚板の略全域を斜め前上方から照明する棚下灯が開示されている。このような装置では、下側の棚板上に商品があっても、商品の影が前方から視認され難くなるとともに、斜め前上方から照明できるにも拘らず、光源から放出された光を無駄なく利用して効率よく照明できる。また、半導体発光素子を光源とするため、薄型であるとともに、斜め前上方から照明するにも拘らず、光源自体を斜めに傾ける必要がないので、薄型の装置とすることができる。特許文献４には、前記配光制御部材を前側から覆う前カバー部を有し、この前カバー部が前記棚の前面側となるように前記配光制御部材に連接して設けられたカバー（透光性の合成樹脂で一体成形され、前カバー部がつや消し面を有するカバー）を備えている棚下灯も開示されている。このような前カバー部のつや消し面により、配光制御部材等が容易に視認されることを抑制し、棚下灯の見栄えが低下することを抑制している。
【０００６】
しかし、この装置では、半導体発光素子が高い指向性で発光するため、半導体発光素子からの光を分配するためには、複雑な構造の配光制御部材を必要とするとともに、照明装置の構造も複雑化する。また、下側の棚板の商品は照明できても、棚の上方、前方や斜め前方を照明できない。そのため、照明領域が限定され、陳列棚の商品の演出及びディスプレー効果を向上させることができない。
【先行技術文献】
【特許文献】
【０００７】
【特許文献１】特開２００６−３４６２３８号公報（特許請求の範囲）
【特許文献２】特開２００３−２７５０８０号公報（特許請求の範囲）
【特許文献３】特開２００３−２８１９０８号公報（特許請求の範囲、段落［０００６］）
【特許文献４】特開２００７−２８７６８６号公報（特許請求の範囲、段落［００２３］［００２５］）
【発明の概要】
【発明が解決しようとする課題】
【０００８】
従って、本発明の目的は、発光ダイオードなどの指向性の高い光を発光する半導体発光素子を用いても、簡単な構造で広い範囲を照明できる棚構造の照明装置を提供することにある。
【０００９】
本発明の他の目的は、温和な雰囲気を醸しだし、陳列棚の商品価値、商品の演出効果を高めることができる棚構造の照明装置を提供することにある。
【００１０】
本発明のさらに他の目的は、半導体発光素子からの光が購買又は消費者の目に直接的に入射することがなく安全な棚構造の照明装置を提供することにある。
【課題を解決するための手段】
【００１１】
本発明者は、前記課題を達成するため鋭意検討した結果、棚板の下面に取り付け可能なフレーム（棚板の下面に取り付け可能なフレーム本体とカバー部材と）を備えた装置において、フレームのうち発光素子列の少なくとも下方域に透光部（又は開放部）を形成し、前記発光素子列からの発光で前記透光部（又は開放部）を照明したり；棚板の下面に取り付け可能な発光素子列（発光ダイオードなどの光源列）からの出射光の方向を反射部材などの配向部材により調整し、フレーム（又は発光素子列のカバー部材）に形成された所定領域の透光部を通じて照明したり；フレームの前方域、上方域及び下方域のうち少なくとも１つの領域に透光部を形成し、フレーム内（例えば、フレームの前部）に発光素子列を装着し、反射部材（例えば、フレームの後部に配設され、前部に向けて表面が膨出して湾曲した凸面状の反射部材）により発光素子列からの光を反射して透光部を照明すると、発光ダイオードなどの高い指向性で発光する半導体発光素子を用いても、簡単な構造で広い範囲を照明できること、前記透光部を乳白色の透光部で形成すると、温和な雰囲気を醸しだし、陳列棚の商品価値を高めることができることを見いだし、本発明を完成した。
【００１２】
すなわち、本発明の棚構造の照明装置は、発光素子列を備え、棚板の下面又は下部に取り付け可能な棚構造の照明装置であって、棚板の下面又は下部に取り付け可能なフレームと、このフレーム内に装着可能な発光素子列と、前記フレームの前方域、上方域及び下方域のうち少なくとも１つの領域に形成された透光部（又は透光域）とを備えており、前記発光素子列からの発光で前記透光部（又は透光域）を照明可能である。前記フレームは、棚板の下面又は下部に取り付け可能なフレーム本体と、このフレーム本体の前方域、上方域及び下方域のうち少なくとも１つの領域をカバー可能なカバー部材とを備えていてもよく、前記フレーム本体及び／又はカバー部材に発光素子列が装着可能であってもよい。例えば、本発明の照明装置は、棚板の下面又は下部に発光素子列を取り付け可能であるとともに、前記発光素子列の少なくとも下方域に透光部（又は透光域）が形成されたフレームと、前記フレームに装着して前記発光素子列をカバー可能なカバー部材とを備えており、前記発光素子列からの発光で前記透光部（又は透光域）を照明可能である。さらに、前記発光素子列からの光を少なくとも透光部（又は透光域）に向けるための配向部材を備えていてもよい。例えば、本発明の棚構造の照明装置は、棚板の下面又は下部に取り付け可能なフレーム本体と、このフレーム本体に形成され、かつ発光素子列が取り付け可能な取付部位と、前記フレーム本体に装着して前記発光素子列をカバー可能であり、かつ前記発光素子列の少なくとも下方域及び前方域に透光部（又は透光域）が形成されたカバー部材とを備えた棚構造の照明装置であって、前記発光素子列からの光を少なくとも下方向及び前方方向に向けるための配向部材を備えていてもよい。
【００１３】
このような装置では、発光素子からの光の指向性が高くても、フレーム本体の透光部（又は透光域）を通じて、下段の棚板を広い範囲で照明できる。特に、配向部材を備えた装置では、前記発光素子列からの光を、配向部材により、少なくとも下方向及び前方方向に向けることができ、前記カバー部材の透光部（又は透光域）を通じて、広範囲に照明できる。特に、前記発光素子列からの光で少なくとも下方向及び前方方向を照明できるため、下段の棚板上の商品を照明しつつ、棚板の前方も照明でき、商品の演出効果及び商品価値を高めることができる。さらに、カバー部材の適所（例えば、フロント壁又は前側壁）に装飾ユニット（文字、記号、イラストなどの装飾単位）を施すと、装飾性が高まり、購買者又は消費者の注目が集まり、商品価値を向上できる。
【００１４】
なお、配向部材は、（Ａ）発光素子列が取り付け可能であり、かつ棚板の前方方向にいくにつれて傾斜した傾斜プレート（例えば、棚板の前方方向にいくにつれて上部が上方向に傾斜した傾斜プレート）で構成してもよく、（Ｂ）発光素子列よりも棚板の奥部に配設され、かつ前記発光素子列からの光を反射可能な反射部材で構成してもよく、前記（Ａ）傾斜プレート及び（Ｂ）反射部材の双方で構成してもよい。また、配向部材は、発光素子列よりも棚板の奥部に、上方向にいくにつれて棚板の奥部方向に傾斜して配設された反射部材で構成してもよい。さらに、配向部材は、平面状反射部材（例えば、平坦な鏡面を有する反射部材）、凸面状の反射部材（例えば、膨出して湾曲した鏡面を有する反射部材）で構成してもよく、表面に凹凸部を有する反射部材（例えば、表面に凹凸部を有する凸面状の反射部材）などであってもよい。このような配向部材を利用すると、発光素子列からの光の照射角度を拡げることができ、下段の棚板上の商品を含め、より有効に照明できる。
【００１５】
さらには、棚構造の照明装置において、発光素子列はフレームの前部に装着してもよく、配向部材としての反射部材をフレームの奥部に配設してもよい。例えば、カバー部材の奥部に、フレームの前部に向けて表面が膨出して湾曲した凸面状の反射部材を配設してもよい。より具体的には、前記フレームが、棚板のフロント側の端部の下面又は下部に取り付け可能なフレーム本体と、このフレーム本体の前方域、上方域及び下方域の領域をカバー可能なカバー部材とを備えており、このカバー部材が、フレーム本体の前方域、上方域及び下方域に透光部を備えているとともに、前記カバー部材の前部に発光素子列が装着され、カバー部材の奥部に、前記カバー部材の前部に向けて表面が膨出して湾曲した凸面状の反射部材が配設されていてもよい。
【００１６】
前記カバー部材は、前方域、上方域及び下方域のうち少なくとも１つの領域に透光部（又は透光域）を有している場合が多く、透光部（又は透光域）は透明であってもよく乳白色であってもよい。例えば、カバー部材は、発光素子の下方域に形成された透明な透光部（又は透光域）と、少なくとも前方域乃至前方の斜め上部域に形成された乳白色の透光部（又は透光域）とを備えていてもよい。カバー部材が乳白色の透光部（例えば、乳白色の光散乱部）を有する場合には、光を拡散できるとともに間接照明できるため、柔らかで温和な雰囲気を醸し出すことかでき、棚板に配置した商品の価値を高めることができる。さらに、乳白色の透光部の適所（例えば、フロント壁又は前側壁）に装飾ユニット（文字、記号、イラストなどの装飾単位）を施すと、さらに装飾性が高まり、購買者又は消費者の注目を集め、商品価値を向上できる。そのため、カバー部材は、発光素子の下方域に形成された透明な透光域と、少なくとも前方域及び前方の斜め上部域（特に、少なくとも前方域乃至前方の斜め上部域）に形成された乳白色の透光域とを備えていてもよい。なお、このような乳白色の透光部は散乱剤などの散乱因子を含む透明な合成樹脂（例えば、アクリル樹脂など）で構成できる。
【００１７】
なお、発光素子列は、基板に列状に装着された複数の発光ダイオードを備えていてもよい。また、発光素子は、棚板に直接的又は間接的に取り付けることができ、例えば、棚板のフロント側の端部の下面又は下部に取り付けられたフレーム本体に、発光素子列を取り付けてもよい。例えば、棚板のフロント側の端部（前部）の下面に取り付け可能なフレーム本体を備えており、このフレーム本体が、複数の発光素子が列状に装着された基板を取り付けるための取付部位を備えていてもよい。基板は棚板の長手方向に沿ってフレーム本体に取り付けることができる。また、フレーム本体は、この取付部位よりも奥部に形成され、かつ反射部材が装着可能な装着部位を備えていてもよい。さらには、前記フレーム本体に対してカバー部材が装着可能であってもよい。
【００１８】
また、発光素子列を棚板の前方の斜め下部領域乃至下方の領域に向け、反射部材を上方向にいくにつれて棚板の奥部方向に傾斜させ、発光素子列からの光を少なくとも前方乃至斜め上方の領域に反射させてもよい。
【００１９】
本発明は、複数の棚板が多段に配置された棚構造であって、前記照明装置を備えている棚構造も包含する。
【００２０】
なお、本明細書において特に断りがない限り、「前方域」と前方方向と前方とは同義に用いる場合があり、「下方域」と下方向とは同義に用いる場合があり、「上方域」と上方とは同義に用いる場合がある。また、前方域とは、前方斜め上方域及び前方斜め下方域を含み、下方域とは、下方斜め前方域及び下方斜め後方域を含み、上方域とは、上方斜め前方域及び上方斜め下方域を含む場合がある。
【発明の効果】
【００２１】
本発明では、配向部材を利用することにより、発光ダイオードなどの指向性の高い光を発光する半導体発光素子を用いても、簡単な構造で棚構造の広い範囲を照明できる。また、透光部を通じて照明するため、半導体発光素子からの光が購買又は消費者の目に直接的に入射することがなく安全である。特に、乳白色の透光部を通じて照明すると、間接照明により柔らかで温和な雰囲気を醸しだし、陳列棚の商品価値及び商品の演出効果を高めることができる。また、透光域（例えば、乳白色の透光域）の適所に装飾ユニット（文字、記号、イラストなどの装飾単位）を施すと、さらに装飾性を高めることができ、購買者又は消費者の注目が集まり商品価値を向上できる。さらに、発光素子列からの光で少なくとも下方向及び前方方向を照明できるので、下段の棚板に配置した商品の商品価値を高めることができる。
【図面の簡単な説明】
【００２２】
【図１】図１は本発明の照明装置の一例を示す概略分解斜視図である。
【図２】図２は図１の照明装置を備えた棚構造を示す概略断面図である。
【図３】図３は本発明の照明装置の他の例を示す概略断面図である。
【図４】図４は本発明の照明装置のさらに他の例を示す概略断面図である。
【図５】図５は本発明の照明装置の他の例を示す概略断面図である。
【図６】図６は本発明の照明装置のさらに他の例を示す概略断面図である。
【図７】図７は本発明の照明装置の別の例を示す概略断面図である。
【図８】図８は本発明の照明装置の他の例を示す概略断面図である。
【図９】図９は本発明の照明装置のさらに他の例を示す概略断面図である。
【図１０】図１０は本発明の照明装置のさらに他の例を示す概略断面図である。
【図１１】図１１は本発明の照明装置の他の例を示す概略断面図である。
【図１２】図１２は本発明の照明装置のさらに他の例を示す概略断面図である。
【図１３】図１３は本発明の照明装置の他の例を示す概略断面図である。
【図１４】図１４は本発明の照明装置のさらに他の例を示す概略断面図である。
【発明を実施するための形態】
【００２３】
以下に、添付図面に基づいて本発明を詳細に説明する。
【００２４】
図１は本発明の照明装置を備えた棚構造を示す概略分解斜視図であり、図２は図１の照明装置の一例を示す概略断面図である。図１及び図２に示す陳列棚は、両側部に位置する支柱１と、この支柱の軸方向に所定間隔毎に形成された係止スリット２と、前記支柱１を支持する支持台（図示せず）とを備えており、支柱１，１間には、棚受け部材（又はブラケット）３を介して棚板１８が縦方向に間隔をおいて架設される。すなわち、棚受け部材３の一方の端部には、前記支柱１の係止スリット２に対して係止可能な爪状のフック部４が形成され、棚受け部材３の他方の端部と照明装置（照明ユニット）１０のフレーム本体１１との間には、棚受け部材３の他方の端部で照明装置（照明ユニット）１０のフレーム本体１１に係止してフレーム本体１１を支持又は保持するための保持機構が形成されている。
【００２５】
図１に示すように、この例では、保持機構は、棚受け部材（又はブラケット）３の他方の端部に形成された孔部５と、フレーム本体１１の後部側壁１１ｂのガイド６に沿って幅方向に摺動可能な摺動部材７と、この摺動部材の先端部に形成され、かつ前記孔部５に対して嵌入可能な凸部８と、前記摺動部材７の上部壁から側部方向に前記棚受け部材３の厚みを収容可能な所定距離だけ延出して垂下した断面コ字状の回動規制凹部９とを備えている。この保持機構では、棚受け部材３の他方の端部を斜め下方向に向けて摺動部材７の凸部８を棚受け部材３の孔部５に挿入することにより、棚受け部材３を摺動部材７に対して揺動可能に装着できるとともに、棚受け部材３の他方の端部を上方向に回動させると、回動規制凹部９に前記棚受け部材３が侵入して回動規制凹部９の上部壁（逆凹状の壁部）により前記棚受け部材３の他方の端部が凸部８を中心としてさらに上方へ回動するのを規制できる。そのため、摺動部材７を介して棚受け部材３をフレーム本体１１の幅方向に摺動可能に取り付けることができる。なお、摺動部材７はビスなどによりガイド６又はフレーム本体１１の後部側壁の適所で固定できる。
【００２６】
図２に示すように、前記フレーム本体１１は、前方方向に延びる上部壁１１ａと、この上部壁の後端部から屈曲又は垂下する後部側壁１１ｂと、この後部側壁の下端部から前方方向に上部壁１１ａよりも短く延びる下部壁１１ｃとを備え、この後部側壁にはフレーム本体１１の幅方向に延びる一対のレールで構成された前記ガイド６が形成されている。
【００２７】
前記フレーム本体１１は、棚板１８の前方方向（後部壁とは反対方向）にいくにつれて若干上方向に傾斜し、かつ発光ダイオードが列状に配置された発光素子列１３を備えた基板１２を取り付けるための取付部位（又は装着部位）と、発光素子列（又は基板）１３よりも棚板１８の奥部（後部側壁側）に配設され、かつ前記発光素子列１３からの光を反射可能な反射部材（配向部材）１４を装着するための装着部位とを備えている。そのため、発光素子列（又は発光素子列の発光照明域）１３は、棚板１８の前方の斜め下部領域乃至下方の領域に向いて、少なくともこれらの領域を直接的に照明可能であり、反射部材１４は、上方向にいくにつれて棚板１８の奥部方向に傾斜し、発光素子列１３からの光を少なくとも前方乃至斜め上方の領域に反射可能である。
【００２８】
さらに、前記フレーム本体１１には、発光素子列１３をカバーするためのカバー部材１５が装着されており、このカバー部材は、前記フレーム本体１１の上部壁の前方の端部から前方方向に延びて、照明フード（照明ケーシング）を形成している。このカバー部材（又は照明フード）は、前記発光素子列１３の下方域に形成された透明プレート部（透明な透光域）１６と、少なくとも前方域乃至前方の斜め上部域（前方から斜め上部に至る領域）に形成された乳白色のカバープレート部（乳白色の透光域）１７とを備えている。この例では、乳白色のカバープレート部（乳白色の透光域）１７は、前方の斜め下部域から前方の斜め上部域に至る領域に形成されている。
【００２９】
なお、上記フレーム本体１１の上部壁１１ａには、前記カバー部材１５（乳白色のカバープレート部１７）を装着するための装着部が形成され、下部壁１１ｃには、前記カバー部材１５（透明プレート部１６）を装着するための装着部が形成されている。また、透明プレート部１６と乳白色のカバープレート部１７とは、スライド嵌合などの種々の装着機構により、互いに接続可能である。上記フレーム本体１１の適所（例えば、壁部１１ａ，１１ｂ，１１ｃから延出し、カバー部材１５，基板１２及び反射部材１４が装着される延出部の近傍（例えば、上部壁１１ａのうちカバー部材１５の装着部の近傍など））には、可撓性を付与するとともに、フレーム本体１１及びカバー部材１５をフレーム本体１１の側板に取り付けるため、断面Ｕ字状や液滴状などの形態の凹溝（又はビス孔）１１ｄが形成されている。
【００３０】
さらに、前記棚受け部材３及びフレーム本体１１は平面方形状の蓋状の棚板１８で覆われている。すなわち、前記棚受け部材３及びフレーム本体１１の上には、蓋状の棚板１８の側壁が棚受け部材３の側面の外側に位置して係止した状態で棚板１８が配置されている。
【００３１】
このような照明装置では、発光素子列１３からの光の照射角度が小さくても、発光素子列１３が、棚板１８のフロント部で所定方向に向いているとともに、反射部材１４により、発光素子列１３からの光を少なくとも前方乃至斜め上方の領域に反射可能であるため、透明プレート部（透明な透光域）１６及び乳白色のカバープレート部（乳白色の透光域）１７を通じて広い範囲を照明できる。また、透明プレート部（透明な透光域）１６を通じて、下段の棚板上の商品を高い輝度で照明できるとともに、乳白色のカバープレート部（乳白色の透光域）１７により、少なくとも前方から斜め上部に至る領域を柔らかで温和な雰囲気を醸し出しながら間接照明でき、商品の演出効果及び商品価値を高めることができる。また、透光域１６，１７（特に、乳白色の透光域１７）の適所（フロント壁など）に装飾ユニット（文字、記号、イラストなどの装飾単位）を施すと、上記の利点と相俟ってさらに装飾性を高めることができ、購買者又は消費者の注目が集まり商品価値を向上できる。また、発光素子列１３からの光が消費者の目に直接的に入射することがなく、安全でもある。
【００３２】
なお、本発明において棚構造（ショーケース、陳列棚など）は複数の棚板が多段に配置された構造を有する限り、棚構造を形成する各部材の種類や形状などは特に限定されない。棚構造は、通常、支柱に対して多段状に棚が配置可能であり、支柱と、この支柱に対して取り付け可能な棚受け部材（又はブラケット）と、棚受け部材（又はブラケット）に取り付け可能な照明ユニットと、前記棚受け部材に取り付け又は配置可能な棚板部材（又は棚板）とを備えている場合が多い。棚受け部材（又はブラケット）は、支柱に対する高さ位置を調整可能であってもよい。棚受け部材は、棚板を支持可能である限り種々の構造の部材が利用でき、例えば、両側部の棚受け部材の下端部に内側に屈曲した屈曲支持部を形成し、この支持部から棚板の側壁が侵入可能な所定間隔をおいて上方向に延出し、棚板の側部壁を係止するための係止凹部を形成し、棚板の側壁に係止凹部が係止した状態で、棚受け部材を屈曲支持部で支持してもよい。
【００３３】
また、棚板は、光透過性部材（例えば、ガラスプレート、樹脂プレートなど）、遮光性部材（木板、金属プレートなど）で構成してもよく、前記のように、棚受け部材などを覆う蓋状の部材で構成してもよい。棚板の少なくとも一部（又は全部）は、透明な透光部材で構成してもよく、乳白色の透光部材で構成してもよい。光透過性部材で棚板を構成すると、カバー部材の形態により、上段の棚板上の商品をも照明できる。さらに、棚板の前方側の側壁には、長手方向（幅方向）に沿って、棚板上の商品の商品名、価格などの識別子を表示する識別カード又は表示ユニット（前記識別子を電子的に表示するユニット）などを装着可能な装着部を形成してもよい。
【００３４】
本発明の照明装置は、発光素子列を備えており、棚板の下面又は下部に取り付け可能である。また、本発明の照明装置及び棚構造は、棚板（特に、棚板のフロント側の端部）の下面又は下部に取り付け可能なフレームと、このフレーム内に装着可能な発光素子列と、前記フレームに形成された透光部とを備えている。なお、フレームに所定の透光部又は透光域を形成してもよいが、透光部又は透光域を有するカバー部材を用いるのが有用である。すなわち、前記フレームは、通常、棚板（特に、棚板のフロント側の端部）の下面又は下部に取り付け可能なフレーム本体と、このフレーム本体の前方域、上方域及び下方域のうち少なくとも１つの領域をカバー可能なカバー部材（又は照明フード）とで構成し、カバー部材に透光部又は透光域を形成してもよい。カバー部材（又は照明フード）は、前記フレーム本体に装着して前記発光素子列をカバー可能である。
【００３５】
前記照明装置において、前記フレーム本体に対してカバー部材を装着することにより、通常、発光素子列を収容又はカバーする照明フード（照明ケーシング）を形成できる。前記カバー部材が装着可能なフレーム本体は、プラスチックなどで形成してもよいが、通常、強度などの点から、アルミニウムなどの金属製の遮光性部材である場合が多い。そのため、通常、フレーム本体は、縦断面形状において、前記発光素子列の配設形態に応じて、透光可能なカバー部材でカバーされる。例えば、下段の棚板を照明するためには、フレーム本体は、少なくとも下方域、好ましくは少なくとも下方域及び前方域が透光可能な形態（前記領域に透光部又は開放部を有する形態）で、カバー部材でカバーしてもよい。
【００３６】
カバー部材は、前記フレーム本体から延出して、前方域、下方域及び上方域から選択された少なくとも１つの領域（例えば、下方域及び前方域や、前方域、下方域及び上方域の全域）が透光可能であり、カバー部材は、フレーム本体の適所、例えば、少なくとも下方域、好ましくは少なくとも下方域及び前方域をカバーしてもよい。照明可能な範囲を拡げるため、カバー部材は、図１に示されるように、前記フレーム本体の上端部（上部壁の前方の端部）から前方方向に延びる上部壁と、この上部壁の端部から下方に屈曲する前側壁（フロント壁）と、この前側壁の下端部からフレーム本体の下端部（又は下部壁の前方の端部）に至る下部壁を有している場合が多い。また、カバー部材のこれらの壁部は、透光部材で形成する場合が多い。なお、前記カバー部材は、両側部にも透光部材又は遮光部材で形成された両側壁を備えていてもよい。また、カバー部材のうち所定部（例えば、発光素子列の下方域（透光域））は、必要であれば、プレートなどを配することなく開放した開放域であってもよい。
【００３７】
カバー部材は単一の部材で構成してもよく、複数の部材で構成してもよい。また、透光部（又は透光域）は、フレーム（又はカバー部材）の前方域、上方域及び下方域のうち少なくとも１つの領域に形成すればよく、少なくとも前方域及び下方域に形成する場合が多く、前方域、上方域及び下方域の全域に形成してもよい。すなわち、フレーム（又はカバー部材）は、フレーム本体の前方域、上方域及び下方域に透光部を備えていてもよい。また、発光素子列をカバー可能なフレーム（又はカバー部材又は照明フード）は、前記発光素子列の少なくとも下方域に透光部を備えていてもよく、前記発光素子列の少なくとも下方域及び前方域に透光部（又は透光域）を備えていてもよく、全体が透光部（又は透光域）であってもよい。このようなカバー部材により、光が消費者の目に直接的に入射することがなく、目の疲労を防止しつつ、安全性を高めることができる。これらの透光域は透明であってもよく発光素子からの光が透過可能な半透明であってもよい。間接照明により柔らかで温和な雰囲気を形成し、商品の演出効果を高めるためには、カバー部材が、乳白色の光散乱部（光散乱性プレート部）を有するのが有利である。
【００３８】
特に、下段の棚板を照明するため、カバー部材のうち発光素子の下方域に形成された透光域は、乳白色の透光域（乳白色プレート部）であってもよいが、透明な透光域（透明プレート部）であるのが好ましい。
【００３９】
また、前方域に形成された透光部は、透明な透光域（透明プレート部）であってもよいが、光線を拡散させて温和な照明とするため、乳白色の透光域（乳白色プレート部）であるのが好ましい。さらに、乳白色の透光域は、前方域、下部域及び上部域から選択された少なくとも１つの領域に形成でき、通常、少なくとも前方域に形成する場合が多い。例えば、乳白色の透光域は、少なくとも前方域及び前方の斜め上部域（特に、前方域から前方の斜め上部域に至る領域、中でも前方の斜め下部域から前方の斜め上部域に至る領域）に形成してもよい。透光部は、発光素子の下方域に形成された透明な透光部（又は透光域）と、少なくとも前方域乃至前方の斜め上部域に形成された乳白色の透光部（又は透光域）とを備えていてもよい。
【００４０】
なお、透光域（透明な透光域、乳白色の透光部など）の適所（例えば、フロント壁又は前側壁）に装飾因子（文字、記号、イラストなどの装飾単位）を施すと、装飾性を高めることができ、購買者又は消費者の注目を集め、商品価値をさらに向上できる。
【００４１】
上記透明な透光域（又はプレート部）はガラスや透明プラスチック（アクリル系樹脂、ポリカーボネート系樹脂など）などの透明部材で形成でき、乳白色の透光域（又はプレート部）は発泡樹脂又は光散乱剤（又は光散乱因子）を含む樹脂（アクリル系樹脂、ポリカーボネート系樹脂など）などの乳白色部材で形成できる。また、透光域（透明又は乳白色の透光域）は、必要より着色を施し、照明効果をさらに向上させてもよい。
【００４２】
フレーム（又はフレーム本体）を利用することにより、棚板の下面又は下部（特に、棚板のフロント側の端部の下面）に発光素子列を容易に取り付けることができる。なお、発光素子列は、フレーム（又はフレーム本体）を介して、棚板の下面に取り付けてもよく棚板の下面に近接させて棚板の下部に取り付けてもよい。なお、棚板に対してフレームは、前記取り付け構造に限らず、種々の取り付け手段、例えば、両面粘着テープなどの接着手段、ビスなどのネジ手段などを利用して取り付けてもよい。
【００４３】
発光素子としては、半導体発光素子（発光ダイオード、レーザーダイオードなど）、有機又は無機ＥＬ（エレクトロルミネッセンス）などの種々の発光素子が利用できる。発光素子列は、基板に列状に装着された複数の発光ダイオードで構成してもよい。また、発光素子の色温度は、陳列棚に配置する商品の種類などに応じて選択でき、例えば、昼光色、暖かみ（又は赤み）を帯びた昼白色、電球色（白熱球色）などであってもよい。
【００４４】
棚板上（例えば、下段の棚板上）に配置された商品を照明するためには、発光素子の照射角度が広いほど有利であるが、本発明では照射角度が狭い発光素子を用いても、棚板上に配置された商品を有効に照明できる。発光素子からの光による照射角度は、９０〜１５０°（例えば、１００〜１４０°、好ましくは１２０〜１４０°）程度であってもよい。特に、照射角度が９０〜１４０°（例えば、１２０°）程度の発光素子であっても、前記配向部材を利用することにより、１５０〜２２０°（例えば、１９０°）程度にまで拡げることができる。発光素子列は、棚の幅に応じて選択でき、棚のサイズによっては基板に複数の発光素子列を形成してもよく、発光素子列が配置された複数の基板を用いてもよい。また、必要であれば、発光方向が異なる方向に向いた複数の発光素子で発光素子例を形成してもよい。
【００４５】
発光素子列は、フレーム内（又は前記フレーム本体及び／又はカバー部材）に取り付け又は装着可能である。発光素子列は、配向部材の有無及び配向部材の配設形態に応じて、フレーム内の適所（例えば、フレームの上部、下部、前部、後部、コーナー部など）に装着可能である。より具体的には、フレーム本体の上部、下部、後部やコーナー部などの他、カバー部材の前部（フロント側の上部又は下部）、奥部、前部と奥部との中間部、コーナー部（フロント側又は後側の上部又は下部コーナー部など）などに発光素子例を装着してもよい。発光素子列の向き（又は発光方向）は、棚板を広い範囲で照明できる限り特に制限されず、フレーム（又はフレーム本体）の前方域（前方方向）、上方域（斜め上方など）、下方域（斜め下方など）及び後方域（後方方向）であってもよい。発光素子列の向き（又は発光方向）は、下方向（例えば、フレーム本体のうち前記発光素子列の少なくとも下方域に形成された透光部（又は開放部）方向）であってもよく、下段の棚板の商品及び前方を照明するため、前方に向かって斜め下方向、例えば、棚板の前方の斜め下部領域乃至下方の領域の方向である場合が多い。さらに、発光素子列の向き（又は発光方向）は、前方方向であってもよく、配向部材を利用する場合には、後方方向であってもよい。
【００４６】
配向部材は、必ずしも必要ではないが、配向部材を利用することにより、より広い範囲を照明できる。そのため、好ましい態様では、さらに、前記発光素子列からの光を少なくとも透光部（例えば、少なくとも下方向及び前方方向や、前方域、上方域及び下方域の全域）に向けるための配向部材を備えている。
【００４７】
配向部材は、発光素子列の配設形態に応じて、棚板の少なくとも所定方向（例えば、下方向、前方方向及び上方向から選択された少なくとも１つの方向、好ましくは少なくとも下方向及び前方方向）を照明するため、前記発光素子列からの光を少なくとも透光部又は透光域の方向（例えば、下方向、前方方向及び上方向から選択された少なくとも１つの方向）に向けることができればよく、下方向から前方の斜め上方向の領域を照明してもよい。配向部材の種類は、前記機能を備えている限り特に制限されず、フレーム内の適所に配設された１又は複数の光学部材（反射鏡などの反射部材、プリズム、レンズなどの屈折部材など）で構成してもよい。
【００４８】
図３は、本発明の照明装置の他の例を示す概略断面図である。この例では、フレーム本体２１は、前方方向に延びる上部壁２１ａと、この上部壁の後端部から屈曲又は垂下する後部側壁２１ｂと、この後部側壁の下端部から前方方向に延びる下部壁２１ｃとを備えており、下部壁２１ｃの前方方向の長さは上部壁２１ａよりも短く形成されている。
【００４９】
フレーム内の上部（上部壁２１ａ）には、発光素子列２３を備えた基板２２が取り付け可能であり、かつ横方向に平坦な面を有する取付部位が形成されている。また、フレーム本体２１には、発光素子列２３をカバーするためのカバー部材２５（乳白色のカバープレート部２７）が装着されており、このカバー部材は、一方の端部が下部壁２１ｃの端部に装着され、前記発光素子列２３よりも後側の下部に位置する透明プレート部２６と、一方の端部が透明プレート部２６に装着され、他方の端部が上部壁２１ａの端部に装着され、前方の斜め下部域から前方の斜め上部域に至る領域に形成された乳白色のカバープレート部２７とを備えている。前記カバー部材２５内の前方下部域（前記発光素子列２３の中心軸よりも前側の下部域）には、前記発光素子列２３からの光を反射可能な反射部材（配向部材）２４が取り付け可能であり、かつ横方向に平坦な面を有する取付部位が形成されている。すなわち、発光素子列２３を備えた基板２２と、反射部材２４とは互いにほぼ平行な高さに位置し、かつ反射部材２４は発光素子列２３よりも前方方向に位置している。
【００５０】
この例では、発光素子列２３の発光のうち、発光中心よりも後方への光は、透明プレート部２６を直接的に照明可能であり、発光中心よりも前方の光は、反射部材２４を通じて、少なくとも前方乃至斜め上方の領域に反射可能である。
【００５１】
このような装置では、発光素子列２３からの光の照射角度が小さくても、発光素子列の光を前方領域と下方領域に効率よく分配して、透明プレート部２６及び乳白色のカバープレート部２７を通じて広い範囲を照明できる。
【００５２】
図４は本発明の照明装置のさらに他の例を示す概略断面図である。この照明装置は、フレーム本体３１の下部壁３１ｃに装着された透光プレート部３６の前後方向の長さが図３の装置よりも大きい点、反射部材３４が後部にいくにつれて上方向（上部壁３１ａ方向）に起立して傾斜して取り付けられている点を除いて、前記図３と同様に構成されている。なお、符号３１ｂは後部側壁を示す。
【００５３】
この例では、上部壁３１ａに配設された基板３２には発光素子列３３が装着され、発光素子列３３の発光のうち、発光中心から下方への光及び発光中心よりも後方の光は、カバー部材３５の透明プレート部３６を直接的に照明可能であり、発光中心よりも前方の光は、反射部材３４を通じて、乳白色のカバープレート部２７、特に少なくとも前方乃至斜め上方の領域に反射可能であり、図３の例と比較して、前方域のうちより下方域を照明できる。すなわち、このような装置では、発光素子列２３の発光により、透明プレート部２６と乳白色のカバープレート部２７を照明可能であり、特に乳白色のカバープレート部２７の下部域も照明可能である。
【００５４】
なお、反射部材の位置や角度は、発光素子列の配設位置と関連させて、照明領域（前方域及び／又は下方域など）に応じて選択でき、図４に示す配設形態での傾斜角度が大きいほど、前方域のうち下方域を照明可能である。図４に示す配設角度とは逆に、反射部材の前部を起立させていくと、反射部材の傾斜角度に応じて上方域を照明可能である。また、反射部材の傾斜角度を変化させるほか、発光素子列を備えた基板の傾斜角度を変化させてもよく、これらの傾斜角度を調整することにより、所望の照明領域を形成できる。さらに、発光素子列と反射部材とがフレームの上部と下部に位置する場合、反射部材に対する光の入射角度と反射角度との関係を利用して、反射部材に対する発光素子例の位置を調整することにより、前方域及び上部域の照明の強度をコントロールできる。
【００５５】
構造を簡素化するためには、配向部材は、（Ａ）発光素子列が取り付け可能であり、かつ棚板の前方方向にいくにつれて上部が上方向（又は後方）に傾斜した傾斜プレートで構成してもよい。
【００５６】
図５は本発明の照明装置の他の例を示す概略断面図である。この例では、フレーム本体４１は、前方方向に延びる上部壁４１ａと、この上部壁の後端部から屈曲又は垂下する後部側壁４１ｂと、この後部側壁の下端部から前方方向に延びる下部壁４１ｃとを備えており、上部壁４１ａよりも下部壁４１ｃの前方方向への長さが短く形成されている。前記フレーム本体４１の奥部には、棚板の前方方向（後部壁とは反対方向）にいくにつれて上方向に傾斜した傾斜プレート４２が取り付け可能な取付部位（又は装着部位）が形成されており、前記傾斜プレート４２として、この例では、発光ダイオードが列状に配置された発光素子列４３を備えた基板４２が使用されている。前記発光素子列４３は前方の斜め下方向に向いている。
【００５７】
前記フレーム本体４１にはカバー部材４５が装着されている。このカバー部材４５は、下方域の透明な透光域（透明プレート部）４６と、前方及び前方の斜め上下域の乳白色の透光域（乳白色のカバープレート部）４７とを備えている。
【００５８】
このような構造の照明装置であっても、前方の斜め下方向に向いた発光素子列４３により、透明プレート部４６を通じて下段の棚板を照明できるとともに、乳白色のカバープレート部４７を通じて前方及び前方の斜め上下域を照明できる。
【００５９】
なお、前記のように、基板を傾斜プレートとして利用してもよく、傾斜プレートに発光素子列を備えた基板を取り付けてもよい。配向部材は、発光素子列からの発光で前記透光部を照明可能とするため、発光素子列からの光を少なくとも透光部に向けるための部材であればよく、前記（Ａ）発光素子列が取り付け可能な傾斜プレート（例えば、棚板の前方方向にいくにつれて上部が前方又は後方に傾斜した傾斜プレート）で構成してもよく、（Ｂ）発光素子列よりも棚板の奥部に配設され、かつ前記発光素子列からの光を反射可能な反射部材で構成してもよく、前記（Ａ）傾斜プレート及び（Ｂ）反射部材の双方で構成してもよい。光源からの光を照明に有効に利用するため、好ましい態様では、配向部材は、前記発光素子列からの光を反射して透光部に向ける反射部材で構成され、この反射部材は、例えば、前記発光素子列からの光を、下方向、前方方向及び上方向から選択された少なくとも１つの方向（例えば、少なくとも下方向及び前方方向）に向けてもよく、発光素子列よりも棚板の奥部に、上方向にいくにつれて棚板の奥部方向に傾斜して配設された反射部材で構成してもよい。より具体的には、棚板の前方方向にいくにつれて上部が上方向（又は後方）に傾斜した傾斜プレートと、上方向にいくにつれて棚板の奥部方向に傾斜し、発光素子列からの光を少なくとも前方乃至斜め上方の領域に反射可能な反射部材とを組み合わせて、配向部材を構成してもよい。なお、必要により、反射部材は、反射角度が可変な可変式反射機構を備えていてもよい。配向部材は、通常、棚板の長手方向（又は幅方向）に沿って配設される。
【００６０】
前記フレーム（フレーム本体及び／又はカバー部材）は、通常、配向部材を装着するための取り付け部位又は装着部位を有している。この装着部位は、配向部材の種類に応じてフレームの適所に形成でき、傾斜プレート（又は基板）の装着部位は、フレームの上部に形成でき、反射部材の装着部位は、フレームの奥部（発光素子列を有する基板が取り付けられる取付部位よりも奥部）又は前部に形成できる。
【００６１】
図６は本発明の照明装置のさらに他の例を示す概略断面図である。この例では、棚板の下面に取り付け可能なフレーム本体５１内の上部には、横方向に平坦な面を有する取付部に発光素子列５３を備えた基板５２が取り付けられ、前記発光素子列５３の下方域には幅広の透光部（又は開放部）が形成されている。また、前記フレーム本体５１の透光部（又は開放部）には、前記発光素子列５３をカバー可能な透光性カバー部材（透明プレート部又は透明な透光域）５６が装着されている。このような装置では、前記発光素子列５３からの発光で前記フレーム本体５１の透光部（又は開放部）を照明できる。そのため、幅広の透光部（又は開放部）及び透光性カバー部材５６を通じて、下段の棚板を広い範囲で照明できる。
【００６２】
なお、陳列棚などの棚構造の用途及び発光素子の輝度などによっては、棚板の所定領域（例えば、棚板の前側など）を照明する必要性がある場合がある。図７は本発明の照明装置の別の例を示す概略断面図である。
【００６３】
この例では、棚板の下面に取り付け可能なフレーム本体６１内の上部の前方域には、横方向に平坦な面を有する取付部に発光素子列６３を備えた基板６２が取り付けられ、前記発光素子列６３の下方域には、図６に示す装置よりも幅狭の透光部（開放部）が形成されている。また、前記フレーム本体６１の透光部（開放部）には、前記発光素子列６３をカバー可能な透光性カバー部材（透明プレート部又は透明な透光域）６６が装着されている。このような装置では、前記発光素子列６３からの発光で前記フレーム本体６１の透光部（開放部）を照明し、透光部（開放部）及び透光性カバー部材６６を通じて、下段の棚板の所定領域、例えば、棚板のフロント側の領域を広い範囲で照明できる。
【００６４】
なお、前記のように、広い範囲を照明するためには、フレーム本体には、下部域だけでなく、少なくとも前方域、特に下部域から前方の斜め上部域に透光部（開放部）を形成するのが有利である。また、前記のように、この透光部（開放部）（例えば、少なくとも下部域を除く領域）をカバー部材でカバーするのが有利である。
【００６５】
発光素子列と、配向部材（又は反射部材）との配設形態（位置、向きなど）は、互いに相対的に選択でき、前記反射部材の配設位置（又は装着位置）は、発光素子例の配設形態（位置、向きなど）に応じて、透光部を発光素子列からの光で照明可能であればよい。発光素子列と反射部材との位置関係は、発光素子列をフレームの後部（奥部）に位置又は装着し、反射部材をフレームの前部（又はフロント側）に位置又は装着していてもよく、発光素子列をフレームの前部（又はカバー部材の前部又はフロント側）に位置又は装着し、反射部材をフレームの後部又は奥部に位置又は装着していてもよい。フレームの後部（奥部）に配向部材（又は反射部材）を配設すると、前方域、下方域や上方域への光を遮蔽することがないため、配向部材（又は反射部材）の配設の自由度を高めることができる。そのため、配向部材（又は反射部材）は平坦な反射面や湾曲反射面を有する反射部材であっても、発光素子列（又は発光光線）に対して種々の方向に反射面を向けて反射部材を配設できる。発光素子列はフレームの前部（又はカバー部材の前部）の適所（特に照明光をできる限り遮蔽しない領域）に装着すればよく、フレームの前部、下部や上部に装着してもよい。発光素子列をフレームの前部に装着する場合、好ましい態様では、商品の照明に対して死角となるフレーム（又はカバー部材）の前部（特に、前側下部又は下部コーナー部）に発光素子列を装着できる。
【００６６】
図８は本発明の照明装置の他の例を示す概略断面図である。この例では、フレーム本体７１の奥部には、平板状の反射部材（反射鏡）７４を装着又は取り付けるための装着壁が立設しており、フレーム本体７１には、カバー部材７５が装着され、このカバー部材７５は、フレーム本体７１の上端部から延出する上部壁７５ａと、フレーム本体７１の下端部から延出する下部壁７５ｂと、前記上部壁７５ａ及び下部壁７５ｂの端部からそれぞれ斜め前方に延びる傾斜壁７５ｃ，７５ｄとを備えている。なお、カバー部材７５は透光可能な透明又は乳白色部材で形成されている。カバー部材７５の上部側の傾斜壁７５ｃの前面には、商品名、価格などの識別カードが装着可能な装着部１１０が形成され、カバー部材７５の下部側の傾斜壁７５ｄの内側には、発光素子列７３を備えた基板７２が装着可能な装着部が形成されている。
【００６７】
このような照明装置では、傾斜壁７５ｄの内側に配設された発光素子列７３からの光で主に上部壁７５ａを照明できるとともに、反射部材７４を利用して、上部壁７５ａの領域のみならず、下部壁７５ｂ及び傾斜壁７５ｃ，７５ｄの領域（前方領域）も照明できる。
【００６８】
なお、上記図８の例では、識別カードが装着可能な装着部１１０をカバー部材７５に形成しているが、カバー部材には、前記装着部１１０を備えたフロント部材を装置してもよい。
【００６９】
図９は本発明の照明装置のさらに他の例を示す概略断面図である。この例の照明装置は、フレーム本体８１をカバーするカバー部材８５の傾斜壁８５ｄではなく、下部壁８５ｂに発光素子列８３を備えた基板８２を装着するための装着部が形成され、傾斜壁８５ｃに識別カードの装着部が形成されていない点を除き、前記図８と同様に構成されている。このような照明装置でも、前記図８と同様に、上部壁８５ａ、下部壁８５ｂ及び傾斜壁８５ｃ，８５ｄの領域（前方領域）を照明できる。
【００７０】
図１０は本発明の照明装置のさらに他の例を示す概略断面図である。この例の照明装置は、フレーム本体９１に装着可能なカバー部材９５と、このカバー部材に装着可能なフロント部材１４１とを備えている。前記カバー部材９５は、フレーム本体９１の上端部から延出する上部壁９５ａと、フレーム本体９１の下端部から延出する下部壁９５ｂと、前記上部壁９５ａ及び下部壁９５ｂの端部からそれぞれ垂直方向に延びる前壁９５ｃとを備えている。また、フレーム本体９１の奥部には、平板状の反射部材（反射鏡）９４が装着可能な装着壁が立設しており、カバー部材９５の前壁９５ｃの下部の内側には、発光素子列９３を備えた基板９２が装着可能な装着部が形成されている。なお、カバー部材９５及びフロント部材１４１は透光可能な透明又は乳白色部材で形成できる。この例では、カバー部材９５は透明部材で形成され、フロント部材１４１は乳白色部材で形成されている。
【００７１】
さらに、カバー部材９５の上部壁９５ａ及び下部のコーナー部には、フロント部材１４１の両端部が装着可能な装着部が形成されている。このフロント部材１４１は、上下端部からそれぞれ前方に向かって傾斜した傾斜部１４１ａ，１４１ｂを備えており、上部側の傾斜部１４１ａには識別カードが装着可能な装着部１１０ａが形成されている。なお、下部側の傾斜部１４１ｂには、適当な表示カードや遮蔽カードなどが装着可能な装着部１１０ｂが形成されている。
【００７２】
このような照明装置でも、前記図８と同様に、上部壁９５ａ、下部壁９５ｂ及び前壁９５ｃの領域（前方領域）を照明できる。特に、カバー部材９５が透明部材で形成されているため、前記領域を全体に亘り有効に照明できる。しかも、フロント部材１４１が乳白色部材で形成されているため、温和又は穏やかな雰囲気を醸し出すことができ、照明効果を高めることができる。
【００７３】
前記の例と異なり、反射部材は平坦な反射面を有する平板状の反射部材に限らず、湾曲した反射面を有する反射部材、例えば、前方方向に向かって中央部が窪んだ凹面状の反射面を有する反射部材であってもよく、前方方向に向かって（前記カバー部材の前部に向けて）表面が膨出して湾曲した凸面状の反射面を有する反射部材で構成してもよい。さらに、発光素子列と反射部材（平坦な反射面を有する平板状の反射部材や湾曲反射面を有する反射部材）との高さ位置の関係は、発光素子列の発光部（又は発光点）の高さ位置に対して、反射部材の反射面の中心点が同じ高さ（同一線又は水平線）上に位置していてもよく、反射部材の反射面（特に湾曲反射面）の中心点が上部又は下部に位置していてもよい。
【００７４】
図１１は本発明の照明装置の他の例を示す概略断面図である。この例の照明装置は、反射部材１０４が、平坦な反射面ではなく、カバー部材１０５の前方方向に向かって表面が膨出して湾曲した凸面状の湾曲反射面を有する点を除き、図１０の装置と基本的な構成が共通している。すなわち、フレーム本体１０１に装着可能なカバー部材１０５は、フレーム本体１０１の上端部から延出する上部壁と、フレーム本体１０１の下端部から延出する下部壁と、前記上部壁及び下部壁の端部からそれぞれ垂直方向に延びる前壁とを備えており、このカバー部材にはフロント部材１４１が装着可能である。また、カバー部材１０５の前壁の下部の内側には、発光素子列１０３を備えた基板１０２が装着可能な装着部が形成されている。
【００７５】
そして、前記フレーム本体１０１の奥部には、前方方向に膨出して湾曲した凸面状の反射面（湾曲反射面）を有する反射部材（反射鏡）１０４が装着可能な装着壁が形成されている。また、発光素子列１０３の発光部（又は発光点）の高さ位置に対して、反射部材１０４の湾曲反射面の中心点が上部に位置している。なお、カバー部材１０５及びフロント部材１４１は透光可能な透明又は乳白色部材で形成できる。この例でも、カバー部材１０５は透明部材で形成され、フロント部材１４１は乳白色部材で形成されている。
【００７６】
このような照明装置では、発光素子列１０３からの光を反射部材１０４の湾曲反射面で広角に反射できる。そのため、前方域のみならず上方域及び下方域もさらに有効に照明できる。特に、発光素子列１０３から反射部材１０４の湾曲反射面の上部を結ぶ接線と、発光素子列１０３から反射部材１０４の湾曲反射面の下部を結ぶ接線とで囲まれた広範囲に亘り光を反射でき、棚板の商品を有効に照明できる。
【００７７】
図１２は本発明の照明装置のさらに他の例を示す概略断面図である。この例の照明装置は、反射部材１１４の凸面状反射面の湾曲度が小さい（アールが大きい）点を除いて、前記図１１と同様に構成されている。このような装置でも、基板１１２に装着された発光素子列１１３からの光を、１つの反射部材１１４の凸面状反射面により前方方向に広角で反射でき、フレーム部材１１１に装着されたカバー部材１１５の前方域、上方域及び下方域を有効に照明できる。
【００７８】
なお、湾曲した反射面の湾曲度（アール）は所望される照明域などに応じて選択できる。また、反射部材（平坦な反射面を有する反射部材、湾曲した反射面を有する反射部材）は、表面に凹凸部（反射能を有する凹凸部）を有していてもよい。この凹凸部は、断面形状が、錐体状（円錐状、角錐状など）、角柱状（四角柱状など）などであってもよく、鋸歯状などであってもよい。凹凸部は、縦方向に所定間隔をおいて横方向（長手方向）に沿って線状に形成してもよく、格子状などの形態で縦横方向に形成してもよい。
【００７９】
図１３は本発明の照明装置の他の例を示す概略断面図である。この照明装置は、反射部材１２４の凸面状反射面（湾曲反射面）に断面鋸歯状などの凹凸部（鋸歯状反射面）１２４ａ，１２４ｂが形成されている点を除いて、前記図１１と同様に構成されている。この例において、基板１２２に装着された発光素子列１２３からの光を所定方向に優先的に反射させるため、前記凹凸部１２４ａ，１２４ｂは、湾曲反射面に対する光の入射角に基づいて、湾曲反射面の周方向の適所に鋸歯状に形成されている。また、発光素子列１２３の発光部（又は発光点）の高さ位置に対して、反射部材１２４の反射面（特に湾曲反射面）の中心点が上部に位置しているとともに、反射部材１２４の反射面（特に湾曲反射面）の中心点よりも高い位置に凹凸部１２４ａが形成され、反射面（特に湾曲反射面）の中心点よりも低い位置に凹凸部１２４ｂが形成されている。すなわち、発光素子列１２３からの光の入射角と反射角との関係に基づいて、鋸歯状反射面の切り欠き角度とその向き、並び鋸歯状反射面の形成部位を設計し、照明効果を高めるため、湾曲反射面の上部側の凹凸部（鋸歯状反射面）１２４ａにより前方方向（前方域）に優先的に光を反射させ、湾曲反射面の下部側の凹凸部（鋸歯状反射面）１２４ｂにより下方向（下方域）に優先的に光を反射させるとともに、眩しさを抑制するため、前方斜め上方向への光の反射を抑制している。
【００８０】
このような装置では、基板１２２に装着された発光素子列１２３からの光を、１つの反射部材１２４の凸面状反射面により前方方向に広角で反射できる。特に、凹凸部１２４ａ，１２４ｂを反射角度調整要素として機能させることができ、発光素子列１２３からの光を、凹凸部１２４ａにより前方域に優先的に反射でき、凹凸部１２４ｂにより下方域に優先的に反射できる。そのため、フレーム部材１２１に装着されたカバー部材１２５の前方域及び下方域の全領域に亘り有効に照明でき、上方域の斜め前方域での光反射を抑制して商品を見やすくするとともに目の疲労を抑制しつつ上方域の斜め後方域も照明できる。
【００８１】
なお、凹凸部は断面鋸歯状である必要はなく、前記のように、錐体状などの凹凸部であってもよい。また、反射角度調整要素（断面鋸歯状の凹凸部など）において、鋸歯状反射面の切り欠き角度及びその向きは、発光素子列１２３からの光の入射角に基づいて、所望する反射領域に応じて設計でき、周方向（上下方向の周面）において同一であってもよく異なっていてもよい。また、凹凸部（鋸歯状反射面）の形成部位は、光の入射角及び所望する照明域に応じて、光が入射する反射部材の周方向（上下方向の周面）領域のうち一部の領域に連続的に又は間隔をおいて間欠的に形成してもよく、光が入射する全領域に形成してもよい。例えば、反射角度調整要素は、反射部材の反射面（特に湾曲反射面）の中心点と同じ高さ位置（又は頂部領域）、前記中心点よりも高い第１の位置（又は領域）及び低い第２の位置（又は領域）から選択された少なくとも１つの位置（又は領域）、例えば、第１の位置（領域）及び第２の位置（領域）に形成してもよい。反射角度調整要素（断面鋸歯状の凹凸部など）により反射領域を調整すると、発光素子列からの光を所定方向に優先して反射し、所定領域を有効に照明でき、好ましくない領域に光が反射するのを有効に防止できる。好ましい態様では、反射角度調整要素（断面鋸歯状の凹凸部など）により、少なくとも前方域、特に少なくとも前方域及び下方域に優先して反射させて照明するのが有効である。
【００８２】
なお、反射角度調整要素は、所定方向へ反射させるため、反射面の適所に形成でき、例えば、前方方向（前方域）へ反射させるための反射角度調整要素、下方向（下方域）へ反射させるための反射角度調整要素、上方向（上方域）へ反射させるための反射角度調整要素など、及びこれらの組合せ（すなわち、複数の反射角度調整要素）であってもよい。また、反射角度調整要素は、反射部材（例えば、凸面状反射部材）の湾曲した反射面に限らず、平坦な反射面（例えば、平板状反射部材の反射面、特に傾斜した平板状反射部材の反射面）に形成してもよく、反射面の全面又は一部に形成してもよい。
【００８３】
さらに、湾曲した反射面を有する反射部材は、発光素子列（又は発光光線）に対する反射部材の湾曲反射面の中心（中心軸）の高さ位置や向き（傾きなど）を調整し、光の反射領域を調整してもよい。
【００８４】
図１４は本発明の照明装置のさらに他の例を示す概略断面図である。この照明装置は、反射部材１３４の湾曲反射面の上部から斜め上方に庇（ヒサシ）状に延出する延出反射部（下方向に反射させるための反射角度調整要素）１３４ｃが形成されている点を除いて、前記図１３と同様に構成されている。この例において、基板１３２に装着された発光素子列１３３からの光は、湾曲反射面の上部側の凹凸部（鋸歯状反射面、第１の反射角度調整要素）１３４ａにより前方方向（前方域）に優先的に光を反射させ、湾曲反射面の下部側の凹凸部（鋸歯状反射面、第１の反射角度調整要素）１３４ｂにより下方向（下方域）に優先的に光を反射させることができる。さらに、延出反射部（第３の反射角度調整要素）１３４ｃは、後方斜め上方向に至る光を下方向に優先的に反射する。そのため、フレーム部材１３１に装着されたカバー部材１３５の下方向（下方域）及び前方方向（前方域）の明度を優先的に高めて照明できるとともに、前方斜め上方向も含め上方への光の反射を抑制し、眩しさを抑制でき、商品を見やすくするとともに目の疲労を抑制できる。
【００８５】
なお、延出反射部は、円弧状の湾曲した反射面に限らず、平坦な反射面を有していてもよい。また、延出反射部は、湾曲反射面に対する光の入射角に基づいて、湾曲反射面の周方向の適所に形成し、光の反射領域を調整してもよい。さらに、延出反射部は、配向部材（発光素子列が装着可能なプレート、平坦な反射面又は湾曲反射面を有する反射部材など）に形成でき、配向部材（又は反射部材）には、１つの延出反射部に限らず、複数の延出反射部を形成してもよい。
【００８６】
なお、前記フロント部材は必ずしも必要ではない。また、フロント部材は前方方向に傾斜した傾斜部を備えている必要はなく、前方方向に向かって膨出又は湾曲した湾曲面などを有していてもよい。
【産業上の利用可能性】
【００８７】
本発明では、発光ダイオードなどの発光素子列を利用して照明するため、消費エネルギーが少なく、しかも長寿命でコンパクトな（例えば、厚みの薄い）照明装置を形成できる。また、本発明の照明装置及び棚構造は、発光素子を利用しているにも拘わらず広い範囲を照明できるとともに、カバー部材により照明効果を高めることができる。そのため、ショーケース、陳列棚などの棚構造（又は陳列棚構造）を照明し、棚板上の商品価値を高めるのに有用である。
【符号の説明】
【００８８】
１…支柱
２…係止スリット
３…棚受け部材（又はブラケット）
４…フック部
５…孔部
６…ガイド
７…摺動部材
８…凸部
９…回動規制凹部
１０…照明装置（照明ユニット）
１１，２１，３１，４１，５１，６１，７１，８１，９１，１０１，１１１，１２１，１３１…フレーム本体
１２，３２，４２，５２，６２，７２，８２，９２，１０２，１１２，１２２，１３２…基板
１３，２３，３３，４３，５３，６３，７３，８３，９３，１０３，１１３，１２３，１３３…発光素子列
１４，２４，３４，７４，８４，９４，１０４，１１４，１２４，１３４…反射部材
１５，２５，３５，４５，７５，８５，９５，１０５，１１５，１２５，１３５…カバー部材
１６，２６，３６，４６，５６，６６…透明プレート部（透明な透光域）
１７，２７，３７，４７…乳白色のカバープレート部（乳白色の透光域）
１８…棚板
２２…傾斜プレート（基板）
【図１】
2010251294.tif 000003
【図２】
2010251294.tif 000004
【図３】
2010251294.tif 000005
【図４】
2010251294.tif 000006
【図５】
2010251294.tif 000007
【図６】
2010251294.tif 000008
【図７】
2010251294.tif 000009
【図８】
2010251294.tif 000010
【図９】
2010251294.tif 000011
【図１０】
2010251294.tif 000012
【図１１】
2010251294.tif 000013
【図１２】
2010251294.tif 000014
【図１３】
2010251294.tif 000015
【図１４】
2010251294.tif 000016